(57)【要約】【課題】フレキシブル基板にて表示パネルの周縁部に接続されている基板を、額縁部材を構成するキャビネットの内側に安定性よく支持することができる表示装置及びこれを含むテレビジョン受信装置を提供する。【解決手段】表示面の周縁部に対向する枠部３１及び該枠部３１の外縁から後方へ延出され導光板２の周縁に対向する延出部３２を有するキャビネット３に、枠部３１の内縁及び外縁の間から後方へ突出する突起３３を一体に形成し、該突起３３と延出部３２との間に、フレキシブル基板５にて表示パネルの周縁部に接続されている基板６を、一面が突起３３の側面と対向するように配した。【選択図】図２
2013125210.tif 000002
【特許請求の範囲】
【請求項１】
前側に表示面を有し、周縁部に信号入力部を有する表示パネル、及び該表示パネルの後側に配され、光源と対向する側面から入光した光を一面から出光して前記表示パネルを照射する導光板を、前記表示面の周縁部に対向する枠部及び該枠部の外縁から後方へ延出され、前記導光板の周縁に対向する延出部を有するキャビネットと、前記導光板の他面側に配してあるカバーとの間に保持してあり、前記信号入力部に信号を入力するための回路を有する基板がフレキシブル基板を介して前記信号入力部に接続してある表示装置であって、前記キャビネットは、前記枠部の内縁及び外縁の間から後方へ突出する突起が一体に形成され、該突起と前記延出部との間に、その一面が前記突起の側面と対向するように前記基板を配してあることを特徴とする表示装置。
【請求項２】
前記キャビネットはアルミニウム製であり、前記基板の一面に対向する絶縁体を前記突起の側面に保持してある請求項１記載の表示装置。
【請求項３】
前記カバーは、前記突起の先端に螺着されている請求項１又は２記載の表示装置。
【請求項４】
前記カバーは、前記基板の縁部が当接する位置決め部を有する請求項１から３のいずれか一つに記載の表示装置。
【請求項５】
テレビ放送信号を受信する受信部を備え、該受信部がテレビ放送信号を受信して前記表示面にテレビ画像を表示する請求項１から４のいずれか一つに記載の表示装置を含むことを特徴とするテレビジョン受信装置。
【発明の詳細な説明】
【技術分野】
【０００１】
本発明は表示パネルの周縁部にフレキシブル基板にて回路基板が接続されている表示装置及びこれを含むテレビジョン受信装置に関する。
【背景技術】
【０００２】
液晶テレビジョン等の薄型の表示装置は、前側に表示面を有し周縁部に信号入力部を有する略直方体をなす液晶の表示パネルと、該表示パネルの周縁部前面に対向する第１枠部及び該第１枠部の外縁から後方へ延出されている第１延出部を有する金属性の前挾持枠体（ベゼル）と、前記表示パネルの周縁部後面に対向する第２枠部及び該第２枠部の外縁から後方へ延出されている第２延出部を有し、前記第１枠部との間で前記表示パネルの周縁部を挾持してある合成樹脂性の後挾持枠体と、前記表示パネルの前記信号入力部にフレキシブル基板を介して接続され、表示パネルを駆動させるための回路を有する基板とを備え、フレキシブル基板が後方へ折り曲げられることにより前記基板が前記第２延出部に取付けられている（例えば、特許文献１参照）。前記基板は第２延出部の周方向に長い短冊形をなし、フレキシブル基板の後方への折り曲げにより一面が第２延出部に固定されているため、前挾持枠体（ベゼル）を狭額縁にすることができる。このように構成された表示装置における前挾持枠体の前側には装飾及び防塵用の枠状のキャビネットが装着され、後挾持枠体の後側には光学シート、導光板、光源、シャーシ、カバー等が装着される。
【０００３】
また、略直方体をなす液晶の表示パネルにおける周縁部の信号入力部に信号を入力するための回路を有する基板がフレキシブル基板を介して信号入力部接続されている表示装置において、表示パネルの表示面に沿う方向にフレキシブル基板及び前記基板を配し、フレキシブル基板及び前記基板の前側に、枠状の放熱板及び枠状のキャビネットを配して放熱性を高めることにより、キャビネットを狭額縁にすることができるように構成された表示装置も知られている（例えば、特許文献２参照）。
【先行技術文献】
【特許文献】
【０００４】
【特許文献１】特開２００９−１４９００号公報
【特許文献２】特開平１０−３３３１７３号公報
【発明の概要】
【発明が解決しようとする課題】
【０００５】
しかし、特許文献１のように、枠形をなすキャビネット、及び表示パネルの後側を覆うカバーの間に、表示パネルの周縁部を前後に挾持するための挾持枠体を備える表示装置にあっては、表示装置の前後の厚さが比較的厚くなり、薄型化に支障を来すことになり、また、キャビネットの額縁部分における幅が比較的広くなり、狭額縁化に支障を来すことになる。
【０００６】
また、特許文献２のように、表示パネルの表示面に沿う方向にフレキシブル基板及び該フレキシブル基板に接続されている基板が配されている表示装置にあっては、フレキシブル基板及び基板がキャビネットの狭額縁化に支障を来すことになる。
【０００７】
ところで、近年の表示装置は益々薄型化される傾向にあり、より一層の薄型化を図るべく、前記挾持枠体をなくした表示装置が開発されている。
【０００８】
しかし、前記挾持枠体をなくした表示装置にあっては、表示パネル周縁部の信号入力部にフレキシブル基板にて接続される基板を保持するのに支障を来すことになり、さらなる改善策が要望されていた。
【０００９】
本発明は斯かる事情に鑑みてなされたものであり、主たる目的は枠部及び該枠部の外縁から後方へ延出されている延出部を有するキャビネットの前記枠部に、後方へ突出する突起を一体に設け、フレキシブル基板にて表示パネルの周縁部に接続されている基板を、一面が前記突起の側面と対向するように突起と延出部との間に配することにより、該基板を安定性よく支持することができる表示装置及びこれを含むテレビジョン受信装置を提供することにある。
【課題を解決するための手段】
【００１０】
本発明に係る表示装置は、前側に表示面を有し、周縁部に信号入力部を有する表示パネル、及び該表示パネルの後側に配され、光源と対向する側面から入光した光を一面から出光して前記表示パネルを照射する導光板を、前記表示面の周縁部に対向する枠部及び該枠部の外縁から後方へ延出され、前記導光板の周縁に対向する延出部を有するキャビネットと、前記導光板の他面側に配してあるカバーとの間に保持してあり、前記信号入力部に信号を入力するための回路を有する基板がフレキシブル基板を介して前記信号入力部に接続してある表示装置であって、前記キャビネットは、前記枠部の内縁及び外縁の間から後方へ突出する突起が一体に形成され、該突起と前記延出部との間に、その一面が前記突起の側面と対向するように前記基板を配してあることを特徴とする。
【００１１】
この発明にあっては、枠部及び該枠部の外縁から後方へ延出されている延出部を有するキャビネットの前記枠部に一体に形成された突起と前記延出部との間に、表示パネル周縁部の信号入力部にフレキシブル基板にて接続されている基板を支持することができるため、表示パネルの周縁部を挾持する挾持枠体がないにも拘らず、フレキシブル基板にて接続されている基板を安定性よく支持することができるとともに、より一層の薄型化及びより一層の狭額縁化を図ることができる。
【００１２】
また、本発明に係る表示装置は、前記キャビネットはアルミニウム製であり、前記基板の一面に対向する絶縁体を前記突起の側面に保持してある構成とするのが好ましい。
この発明にあっては、表示装置の大型化に伴ってキャビネットが大型になっても、軽量、高強度であり、且つ突起を有するキャビネットを成形にて簡易に得ることができるとともに、フレキシブル基板にて接続されている基板が突起と延出部との間で動くことがあっても、基板からキャビネットに導電するのを回避することができる。
【００１３】
また、本発明に係る表示装置は、前記カバーは、前記突起の先端に螺着されている構成とするのが好ましい。
この発明にあっては、フレキシブル基板にて接続されている基板よりも表示パネルの中央側にカバーの取付部があるため、カバーの取付部に影響されることなく狭額縁化を図ることができる。
【００１４】
また、本発明に係る表示装置は、前記カバーは、前記基板の縁部が当接する位置決め部を有する構成とするのが好ましい。
この発明にあっては、キャビネットの突起と延出部との間に配されている基板をカバーの位置決め部にて位置決めすることができるため、フレキシブル基板にて接続されている基板の安定性をより一層高めることができる。
【００１５】
また、本発明に係るテレビジョン受信装置は、テレビ放送信号を受信する受信部を備え、該受信部がテレビ放送信号を受信して前記表示面にテレビ画像を表示する前述した発明の表示装置を含むことを特徴とする。
この発明にあっては、テレビ放送信号を受信して表示面にテレビ画像を表示することができる。
【発明の効果】
【００１６】
本発明によれば、表示パネルの周縁部を挾持する挾持枠体がないにも拘らず、フレキシブル基板にて接続されている基板を安定性よく支持することができるとともに、より一層の薄型化及びより一層の狭額縁化を図ることができる。
【図面の簡単な説明】
【００１７】
【図１】テレビジョン受信装置の概略構成を示す分解斜視図である。
【図２】本発明に係る表示装置の構成を示す横断平面図である。
【図３】本発明に係る表示装置の構成を示す横断平面図である。
【図４】本発明に係る表示装置の一部を省略した横断斜視図である。
【図５】本発明に係る表示装置の一部を省略した分解斜視図である。
【発明を実施するための形態】
【００１８】
以下本発明をその実施の形態を示す図面に基づいて詳述する。説明は、前側に表示面を有し、略直方体をなす液晶表示パネルを備える薄型の表示装置を例として説明する。表示装置はバックライト部を含む液晶表示装置を搭載し、テレビ放送信号を受信する受信部を備え、該受信部がテレビ放送信号を受信してテレビ画像を前記液晶表示パネルに表示するテレビジョン受信装置を含む。図１はテレビジョン受信装置の概略構成を示す分解斜視図である。
【００１９】
テレビジョン受信装置は、液晶表示装置Ａと、該液晶表示装置Ａを挾むようにして収容する枠形のキャビネットＢ及びカバーＣと、電源Ｄと、チューナＥと、スタンドＦとを備えて構成される。液晶表示装置Ａは、全体として横長の方形（矩形状）をなし、縦置き状態でキャビネットＢ及びカバーＣ内に収容されている。この液晶表示装置Ａは、液晶表示パネルと、外部光源であるバックライト部と、導光板とを備えている。
【００２０】
図２、図３は本発明に係る表示装置の構成を示す横断平面図、図４は表示装置の一部を省略した横断斜視図、図５は表示装置の一部を省略した分解斜視図である。
【００２１】
この表示装置はテレビ画像を表示する表示面１ａを前側に有し、周縁部の両側部に信号入力部１１を有する略直方体をなす液晶の表示パネル１と、該表示パネル１の後側に配され、側面から入光した光を一面から出光して表示パネル１を照射する導光板２と、該導光板２の前記側面に対向する複数の発光素子と、表示面１ａの周縁部に対向する枠部３１及び該枠部３１の外縁から後方へ延出され、導光板２の周縁に対向する延出部３２を有するキャビネット３と、導光板２の他面側に配してあるカバー４と、表示パネル１を駆動させるための駆動回路を有し、フレキシブル基板５を介して信号入力部１１に接続してある短冊状をなす基板６とを備え、表示パネル１及び導光板２の間に光学シート７を配してある液晶テレビジョン、換言すれば液晶表示装置である。
【００２２】
表示パネル１は前面に表示面１ａを有し、該表示面１ａよりも後側に液晶部、スイッチング素子、スイッチング素子のソース電極に接続されているソース配線（電極配線）及びスイッチング素子のゲート電極に接続されているゲート配線（電極配線）を有する略直方体をなし、両側縁部に、前記電極配線に接続されている信号入力部１１，１１が設けられており、該信号入力部１１，１１に複数のフレキシブル基板５の一端が接続されている。
【００２３】
導光板２はアクリル樹脂、ポリカーボネート樹脂等の合成樹脂製であり、表示パネル１よりも広面積の略直方形に形成されている。導光板２とカバー４との間には高反射性を有する合成樹脂製の光反射板８が配されている。
【００２４】
キャビネット３は、表示面１ａの周縁部に対向する略矩形の枠部３１及び該枠部３１の外縁から後方へ延出され、導光板２の周縁に対向する角形の延出部３２を有する。キャビネット３は、上下に対向し、断面略Ｌ字形をなす二つの長辺部材と、横方向に対向し、断面略Ｌ字形をなす二つの短辺部材と、隣合う長辺部材及び短辺部材の長手方向の端部を連結する四つの連結体とを備え、長辺部材及び短辺部材はアルミニウム材が押出し成形され、連結体はアルミニウム材が鋳込み成形されている。長辺部材及び短辺部材は、Ｌ字の一辺が枠部３１を構成し、Ｌ字の他辺が延出部３２を構成する。
【００２５】
枠部３１の内面で、内縁及び外縁（延出部３２）の間には、延出部３２の内面及び導光板２の側面と対向する縦長板状の突起３３が両端部の近くに亘って一体に形成されている。枠部３１の内縁側で、表示パネル１の周縁部と対向する箇所には、不織布等の縦長の緩衝帯体９が保持されており、また、突起３３と緩衝帯体９との間で導光板２の他面周縁部と対向する箇所には、導光板２の周縁部を受止めるための複数の受止凸部３４が一体に形成されている。延出部３２における両側部分の先部内面には、長手方向に離隔して複数の矩形をなす緩衝板１０が保持されており、延出部３２における上側部分及び下側部分には、光源としての複数の発光素子（発光ダイオード）が実装され、短冊状をなす発光素子基板が保持されている。枠部３１における突起３３の基端部には後記する絶縁体の一部を受入れる案内溝３５が設けられている。
【００２６】
突起３３は導光板２よりも後方へ突出し、先端部から導光板２の他面と対向する側へ延びる細幅の受止片３３ａを有し、受止片３３ａに複数の取付孔３６が長手方向に離隔して開設されている。突起３３のフレキシブル基板５と対向する箇所は欠除され、枠部３１の内面に沿ってフレキシブル基板５を配することができるようになしてある。突起３３の延出部３２と対向する外側面には、電子部品が実装されている基板６の非実装面（一面）と対向する板状の絶縁体２０が保持されている。
【００２７】
絶縁体２０は縦長の短冊状をなす絶縁板部２０ａと、該絶縁板部２０ａの幅方向一縁側から厚さ方向へ突出され、受止片３３ａと対向する縦長の突片２０ｂとを有する合成樹脂製であり、突片２０ｂに、取付孔３６に対応する複数の貫通孔２０ｃが開設され、貫通孔２０ｃから取付孔３６に螺入される雄螺子３０にて突起３３に固定されている。絶縁板部２０ａの幅方向他縁部は案内溝３５に挿入され、絶縁体２０の位置決めを容易に行えるようになしてある。突片２０ｂの先端には該突片２０ｂの厚さ方向両側へ延出された延出片２０ｄ，２０ｅが一体に設けられ、絶縁板部２０ａの幅方向他縁部と後向きの延出片２０ｅとでカバー４の周縁部を受止めることができるように構成されている。
【００２８】
カバー４は金属板を成形してなり、周縁部４２が中央側の板部４１よりも後方へ窪む皿形をなし、中央側の略矩形をなす板部４１が光反射板８と接触し、周縁部４２が、突起３３に保持されている絶縁体２０の突片２０ｂと対向している。周縁部４２の内面には、基板６の幅方向一縁に当接して基板６の幅方向位置を決めるための位置決め部４３が設けられている。また、周縁部４２には取付孔３６及び貫通孔２０ｃに対応する挿通孔４４が開設され、挿通孔４４及び貫通孔２０ｃに挿通される雄螺子３０が取付孔３６に螺入されることにより、絶縁体２０が突起３３に固定されるとともに、カバー４がキャビネット３の枠部３１に螺着され、枠部３１と板部４１との間に表示パネル１、光学シート７、導光板２及び光反射板８が保持されるようになしてある。板部４１の後面には電源回路基板等の複数の回路基板が並置されており、周縁部４２における下部にはスタンド取付用の複数の孔が開設されている。
【００２９】
フレキシブル基板５は、絶縁フィルムと、該絶縁フィルムの一面に回路部がプリントされている導体層と、該導体層を被覆する絶縁層とを有し、対向する２辺側に接続部が設けられている四角形をなし、該フレキシブル基板５３の中央側一面（基板の実装面とは反対側の面）に、表示パネル１の信号入力部１１に走査信号を入力するためのドライバ回路５１が実装されている。フレキシブル基板５は一方の接続部が表示パネル１の信号入力部１１に接続され、他方の接続部に基板６（ゲート基板）が接続されており、枠部３１の内面に沿って配され、他方の接続部側で後方へ湾曲し、基板６の他面（実装面）が延出部３２と対向するようになしてある。
【００３０】
基板６はドライバ回路５１を制御する回路、ひいては信号入力部１１に信号を入力するための回路を有する縦長の短冊状をなし、突起３３の長手方向に離隔して複数個配されており、電子部品が実装されている他面の長手方向一端部で、幅方向の縁部にフレキシブル基板５の他端がコネクタにて接続されている。基板６は、他面が緩衝板体１０と接触し、一面が絶縁体２０の絶縁板部２０ａと若干離隔して対向し、延出部３２及び突起３３の間にフリーの状態で支持されており、また、幅方向一縁がカバー４の位置決め部４３に当接し、後方の位置が決められている。
【００３１】
前記発光素子基板は横方向に長い短冊状をなし、長手方向に沿って発光素子が並置され、導光板２の上下２辺側に配された発光素子が、導光板２の上下２辺側の側面に対向する。
【００３２】
以上のように構成された表示装置は、内部が上向きとなるようにキャビネット３が作業台上に載置され、該キャビネット３の枠部３１上に、フレキシブル基板５が接続されている表示パネル１、光学シート７、導光板２、光反射板８が順次載置積層され、基板６がキャビネット３における延出部３２の両側部分及び突起３３の間に挿入され、該基板６にフレキシブル基板５がコネクタにて接続される。また、キャビネット３における延出部３２の上下側部分内側に発光素子基板が挿入保持される。
【００３３】
枠部３１上に積層された光反射板８の上にカバー４が載置され、該カバー４の板部４１が光反射板８に対接し、カバー４の周縁部４２が絶縁体２０の突片２０ｂに対向する。この状態で、カバー４の挿通孔４４及び絶縁体２０の貫通孔２０ｃに挿通される雄螺子３０が突起３３の取付孔３６に螺入されることにより、キャビネット３の枠部３１とカバー４の板部４１との間で、表示パネル１、光学シート７、導光板２及び光反射板８を挾み込んで支持することができる。
【００３４】
このように表示パネル１の周縁部を前後で挾持する既存の前挾持枠体及び後挾持枠体がなく、キャビネット３における枠部３１の内縁及び外縁（延出部３２）の間に一体に設けられている突起３３と延出部３２との間に、フレキシブル基板５に接続されているゲート基板としての基板６が挿入支持されているため、表示装置をより一層薄型にすることができるとともに、より一層狭額縁にすることができる。
【００３５】
また、キャビネット３における延出部３２よりも内側に突起３３があり、該突起３３の先端部から表示パネル１の中央側へ延出された受止片３３ａにカバー４の周縁部４２が雄螺子３０にて螺着されているため、換言するとカバー取付用の取付部が、フレキシブル基板５に接続されている基板６よりも表示パネル１の中央側にあるため、枠部３１の幅寸法、ひいては表示装置をより一層狭額縁にすることができる。
【００３６】
既存の前挾持枠体及び後挾持枠体がない構成において、キャビネット３における枠部３１の延出部３２と内縁との間に突起３３が一体に設けられ、該突起３３と延出部３２との間に、フレキシブル基板５に接続されている基板６が挿入支持され、該基板６が、カバー４における周縁部４２の位置決め部４３にて位置決めされているため、基板６を適正箇所に簡易に組み込むことができ、基板６の組込作業性を高めることができる。
【００３７】
基板６の部品が実装されていない一面と対向する突起３３には絶縁体２０が保持され、絶縁板部２０ａが基板６の一面と離隔して対向しているため、表示装置に加わる外力により基板６が突起３３側（表示パネルの中央側）へ移動することがあっても、この基板６の幅方向の縁部が絶縁体２０に接触し、該前縁体２０にて絶縁され、突起３３を有するアルミニウム製のキャビネット３に導電するのを防ぐことができる。
【００３８】
また、キャビネット３の長辺部材及び短辺部材はアルミニウム材が押出し成形されているため、表示装置の大型化に伴ってキャビネット３が大型化する場合でも、比較的長くて、しかも高強度の長辺部材及び短辺部材を簡易に得ることができ、比較的大型のキャビネット３のコストを低減することができる。
尚、以上説明した実施の形態では、表示パネル１の信号入力部１１に接続されるフレキシブル基板５にドライバ回路５１が実装されている構成としたが、その他、フレキシブル基板５を介して信号入力部１１に接続される基板６にドライバ回路５１が実装されている構成であってもよく、いずれの場合でも信号入力部１１に信号を入力するための回路を基板６が有する。
【符号の説明】
【００３９】
１    表示パネル
１ａ  表示面
１１  信号入力部
２    導光板
３    キャビネット
３１  枠部
３２  延出部
３３  突起
４    カバー
５    フレキシブル基板
６    基板
２０  絶縁体
３０  雄螺子
４３  位置決め部
【図１】
2013125210.tif 000003
【図２】
2013125210.tif 000004
【図３】
2013125210.tif 000005
【図４】
2013125210.tif 000006
【図５】
2013125210.tif 000007